(57)【要約】【課題】本発明は、２つの色の差異を表示し、色調整の指針を与える調整量測定装置等に関し、例えばＣ，Ｍ，Ｙのインキ出し量の調整などの場合において、調整中の色を目標色に合わせるための調整の指針を得るのに好適な調整量測定装置等を提供する。【解決手段】印刷物を刷ろうとしている印刷機のプロファイルを記憶しておき、２回の測色、すなわち、例えばプルーフ画像と試し刷りの印刷物との２回の測色により得られた２つの測色値をカラープロファイルで変換して、デバイス色空間、例えばＣＭＹ色空間上の２つの座標値を得、それら２つの座標値相互の差分、ΔＣ，ΔＭ，ΔＹを算出して表示する。【選択図】        図５
2005172513.tif 000002
【特許請求の範囲】
【請求項１】
色を測定する測色部と、
前記測色部で得られる測色値を表わす測色色空間上の座標値と画像出力デバイスで採用される複数の一次色を座標軸とするデバイス色空間上の座標値とを対応づけたカラープロファイルを記憶しておく第１の記憶部と、
前記測色部で得られた測色値を前記カラープロファイルを介して前記デバイス色空間上の座標値に変換する変換部と、
前記測色部での２回の測色により得られた２つの測色値をそれぞれ前記変換部で変換して得た前記デバイス色空間上の２つの座標値相互の差分を算出する算出部と、
前記算出部で算出された差分を表示する表示部とを備えたことを特徴とする調整量測定装置。
【請求項２】
前記測色部による、前記算出部での差分算出の基になる２回の測色のうちの第１の測色と第２の測色とを区別して認識させる第１の操作子を備えたことを特徴とする請求項１記載の調整量測定装置。
【請求項３】
前記測色部による、算出部での差分算出の基になる２回の測色のうちの第１の測色により得られた測色値あるいは該測色値から前記カラープロファイルを介して得られた前記デバイス色空間上の座標値を記憶しておく第２の記憶部を備えたことを特徴とする請求項１又は２記載の調整量測定装置。
【請求項４】
前記複数の一次色それぞれについて独立に係数を設定する第２の操作子を備え、
前記算出部が、該算出部で算出された差分にさらに前記係数を乗算するものであり、
前記表示部が、前記算出部で係数が乗算された後の差分を表示するものであることを特徴とする請求項１記載の調整量測定装置。
【請求項５】
前記カラープロファイルが、測色色空間上の座標値と、シアン、マゼンタ、イエロー、および黒の各色を座標軸とするデバイス色空間上の座標値とを対応づけるカラープロファイルであって、
黒の、前記デバイス色空間上の座標値を入力する第３の操作子を備え、
前記表示部が、２回の測色により求められる前記差分のほか、１回の測色により求められる、前記デバイス色空間上の座標値を表示するものであることを特徴とする請求項１記載の調整量測定装置。
【請求項６】
プログラムを実行する演算処理装置内で実行され、該演算処理装置を、
測色値を取得する取得部と、
前記取得部で得られる測色値を表わす測色色空間上の座標値と画像出力デバイスで採用される複数の一次色を座標軸とするデバイス色空間上の座標値とを対応づけたカラープロファイルを記憶しておく第１の記憶部と、
前記測色部で得られた測色値を前記カラープロファイルを介して前記デバイス色空間上の座標値に変換する変換部と、
前記取得部で得られた２つの測色値をそれぞれ前記変換部で変換して得た前記デバイス色空間上の２つの座標値相互の差分を算出する算出部と、
前記算出部で算出された差分を表示する表示部と
を備えた調整量測定装置として動作させることを特徴とする調整量測定プログラム。
【請求項７】
前記演算処理装置を、前記取得部により取得される、前記算出部での差分算出の基になる２つの測色値のうちの第１の測色値と第２の測色値とを区別して認識させる第１の操作子をさらに備えた調整量測定装置として動作させることを特徴とする請求項６記載の調整量測定プログラム。
【請求項８】
前記演算処理装置を、前記取得部により取得される、前記算出部での差分算出の基になる２つの測色値のうちの第１の測色値あるいは該第１の測色値から前記カラープロファイルを介して得られた前記デバイス色空間上の座標値を記憶しておく第２の記憶部をさらに備えた調整量測定装置として動作させることを特徴とする請求項６又は７記載の調整量測定プログラム。
【請求項９】
前記演算処理装置を、前記複数の一次色それぞれについて独立に係数を設定する第２の操作子をさらに備えた調整量測定装置として動作させる調整量測定プログラムであって、
前記算出部が、該算出部で算出された差分にさらに前記係数を乗算するものであり、
前記表示部が、前記算出部で係数が乗算された後の差分を表示するものであることを特徴とする請求項６記載の調整量測定プログラム。
【請求項１０】
前記カラープロファイルが、測色色空間上の座標値と、シアン、マゼンタ、イエロー、および黒の各色を座標軸とするデバイス色空間上の座標値とを対応づけるカラープロファイルであり、
前記演算処理装置を、黒の、前記デバイス色空間上の座標値を入力する第３の操作子をさらに備えた調整量測定装置として動作させる調整量測定プログラムであって、
前記表示部が、２回の測色により求められる前記差分のほか、１回の測色により求められる、前記デバイス色空間上の座標値を表示するものであることを特徴とする請求項６記載の調整量測定プログラム。
【発明の詳細な説明】
【技術分野】
【０００１】
本発明は、例えば試し刷りされた印刷物の色が目標色からどの方向にどれだけ外れているか等、２つの色の差異を表示し、色調整の指針を与える調整量測定装置、およびコンピュータ等の演算処理装置を調整量測定装置として動作させる調整量測定プログラムに関する。
【背景技術】
【０００２】
従来の多色刷りオフセット印刷機のインキ管理方法として一般的に行なわれてきたのは、概ね次の４段階の調整を行ない、校正刷りの目標色に合わせる方法である。
【０００３】
（１）印圧など、印刷機の機械的な調整を行なう
（２）実際の印刷に入り、湿し水の供給量の最適化を図る
（３）咥えなど、用紙上の印刷画像から外れた部分に単色べたもしくは単色網の画像を設け、この部分の光学濃度を測定し、経験から得られた濃度管理値に合うようにインキ  出し量の調整を行なう
（４）最終的にプルーフ画像に合わせるべく、印刷機オペレータが目視によるインキ供給量調整を行なう
上記（４）のインキ供給量調整を行なうにあたっては印刷機オペレータが目視でプルーフ画像に合わせる必要があり、このためにはシアン（Ｃ），マゼンタ（Ｍ），イエロー（Ｙ）の各版のインキ出し量を調整しなくてはならない。このとき、例えばプルーフ画像よりＹ味である印刷物を調整するとき、Ｙインキの出し量を抑えるべきか、Ｍ，Ｃのインキ量を増やすべきか、あるいはＹインキの出し量を抑えるとともにＭ，Ｃのインキ出し量を増やすべきかという判断は、非常に熟練したオペレータでしか行なうことができない程度に難しい判断である。
【０００４】
また、色を測定する装置として測色計が知られているが、測色計を用いて色を測定しＣＩＥＸＹＺやＬ*ａ*ｂ*などの測色値を得て色のずれの方向を捉えたとしても、ＣＩＥＸＹＺやＬ*ａ*ｂ*などの測色値からＣ，Ｍ，Ｙのインキ調整量を読み取ることのできるオペレータは通常はいない。
【０００５】
インキ調整量を自動的に算出する手法として、特許文献１には、目標色域におけるＣ，Ｍ，Ｙの各インキの濃度差と色差との偏微分の関係を測定しておき、上記（３）のインキ濃度の測定の代わりに３色グレーパッチの色度測定を行ない、プルーフの色度との差を計算し、これが最小となるようにインキ調整量を算出する方法が提案されている。しかしこの特許文献１に提案された方法は、目標色域を予め決めてからインク調整量のデータをとらなくてはならず、任意の色の調整は難しく、事実上、Ｃ，Ｍ，Ｙが例えばそれぞれ６０％の掛け合わせ網など、管理色を決めてからの運用になる。これに対し実際の印刷物の場合、その印刷物に応じて重要色が異なる場合も多く、特許文献１に提案された方法ではそのような印刷物に対して柔軟には対応できない。
【０００６】
また、特許文献１に提案された方法は、インキ出し量の粗調整の段階での運用であり、色の微妙な調整を行なうにあたっては、やはり熟練したオペレータの経験と勘に頼らなければならない。
【特許文献１】特許第２５０５４３４号公報
【発明の開示】
【発明が解決しようとする課題】
【０００７】
本発明は、上記事情に鑑み、例えば上記のＣ，Ｍ，Ｙのインキ出し量の調整などの場合において、調整中の色を目標色に合わせるための調整の指針を得るのに好適な調整量測定装置、およびコンピュータ等の演算処理装置をそのような調整量測定装置として動作させるための調整量測定プログラムを提供することを目的とする。
【課題を解決するための手段】
【０００８】
上記目的を達成する本発明の調整量測定装置は、
色を測定する測色部と、
測色部で得られる測色値を表わす測色色空間上の座標値と画像出力デバイスで採用される複数の一次色を座標軸とするデバイス色空間上の座標値とを対応づけたカラープロファイルを記憶しておく第１の記憶部と、
測色部で得られた測色値をカラープロファイルを介してデバイス色空間上の座標値に変換する変換部と、
測色部での２回の測色により得られた２つの測色値をそれぞれ変換部で変換して得たデバイス色空間上の２つの座標値相互の差分を算出する算出部と、
算出部で算出された差分を表示する表示部とを備えたことを特徴とする。
【０００９】
本発明の調整量測定装置は、カラープロファイル、例えば上述の印刷の例では印刷物を刷ろうとしている印刷機のプロファイルを記憶しておき、２回の測色、すなわち、例えばプルーフ画像と試し刷りの印刷物との双方の測色を行ない、それら２回の測色により得られた２つの測色値をカラープロファイルで変換して、デバイス色空間、例えばＣＭＹ色空間上の２つの座標値を得、それら２つの座標値相互の差分、すなわち、例えばΔＣ，ΔＭ，ΔＹを算出して表示するものであり、前述の例で説明すると、プルーフ画像よりもＹ味がかっている印刷物の調整にあたりＹインキの出し量を抑えるべきか、Ｃ，Ｍのインキ出し量を増やすべきか等が一目で分かり、経験の少ないオペレータにとって経験や勘に頼ることなく適正な調整を行なうことができ、また経験豊富なオペレータにとってもより適正かつ迅速な調整を行なうことができる。
【００１０】
ここで、上記本発明の調整量測定装置において、上記測色部による、算出部での差分算出の基になる２回の測色のうちの第１の測色と第２の測色とを区別して認識させる第１の操作子を備えることが好ましい。
【００１１】
例えば測定開始前のリセットの後、一回目の測定は基準色の測定、２回目の測定は調整色の測定、というように順序を固定的に決めておいてもよいが、上記の第１の操作子を備えると調整色の測定から先に行なうこともでき、測定の融通性が高まる。
【００１２】
また、上記本発明の調整量測定装置において、上記測色部による、算出部での差分算出の基になる２回の測色のうちの第１の測色により得られた測色値あるいはその測色値からカラープロファイルを介して得られたデバイス色空間上の座標値を記憶しておく第２の記憶部を備えることが好ましい。
【００１３】
このように、第２の記憶部を備えておくと、基準色を一旦測定してその測色値をこの第２の記憶部に記憶させておき、あとは、第２の測定、すなわち調整色の測定を必要に応じて何度も繰り返し、記憶しておいた基準色の測色値との間で演算を行ない差分を求めて表示することができ、基準色の測定を何度も繰り返す必要がなく使い勝手が向上する。
【００１４】
さらに、上記本発明の調整量測定装置において、複数の一次色それぞれについて独立に係数を設定する第２の操作子を備え、上記算出部が、その算出部で算出された差分にさらに上記係数を乗算するものであり、上記表示部が、算出部で係数が乗算された後の差分を表示するものであることが好ましい。
【００１５】
上記の差分、例えばΔＣ，ΔＭ，ΔＹを求めて表示しても、その差分、例えばΔＣ，ΔＭ，ΔＹの値自体がそのままインキ出し量の調整量を表わしているとは限らない。そこで、上記差分に係数を乗算して、例えば、ａ，ｂ，ｃを係数としたとき、それらの係数を独立に設定し、ａ・ΔＣ，ｂ・ΔＭ，ｃ・ΔＹを求めて、係数ａ，ｂ，ｃが乗算された後の差分ａ・ΔＣ，ｂ・ΔＭ，ｃ・ΔＹを表示することにより、オペレータによる調整量の感覚に合った値を表示することができる。
【００１６】
さらに、上記本発明の調整量測定装置において、上記カラープロファイルが、測色色空間上の座標値と、シアン（Ｃ）、マゼンタ（Ｍ）、イエロー（Ｙ）、および黒（Ｋ）の各色を座標軸とするデバイス色空間上の座標値とを対応づけるカラープロファイルであって、黒の、デバイス色空間上の座標値を入力する第３の操作子を備え、上記表示部が、２回の測色により求められる上記差分（ΔＣ，ΔＭ，ΔＹ）のほか、１回の測色により求められる、デバイス色空間上の座標値（Ｃ，Ｍ，Ｙ，Ｋ）を表示するものであることが好ましい。
【００１７】
黒（Ｋ）を入力し、その黒（Ｋ）と、１回の測色による、シアン（Ｃ）、マゼンタ（Ｍ）、イエロー（Ｙ）とからなるＣＭＹＫの値を表示することにより、基準色と比較すること以外に１回の測定によるＣＭＹＫの値自体を知ることができる。
【００１８】
また、上記目的を達成する本発明の調整量測定プログラムは、プログラムを実行する演算処理装置内で実行され、その演算処理装置を、
測色値を取得する取得部と、
取得部で得られる測色値を表わす測色色空間上の座標値と画像出力デバイスで採用される複数の一次色を座標軸とするデバイス色空間上の座標値とを対応づけたカラープロファイルを記憶しておく第１の記憶部と、
測色部で得られた測色値をカラープロファイルを介してデバイス色空間上の座標値に変換する変換部と、
取得部で得られた２つの測色値をそれぞれ変換部で変換して得たデバイス色空間上の２つの座標値相互の差分を算出する算出部と、
算出部で算出された差分を表示する表示部と
を備えた調整量測定装置として動作させることを特徴とする。
【００１９】
ここで、上記本発明の調整量測定プログラムにおいて、上記演算処理装置を、上記取得部により取得される、上記算出部での差分算出の基になる２つの測色値のうちの第１の測色値と第２の測色値とを区別して認識させる第１の操作子をさらに備えることが好ましい。
【００２０】
また、上記本発明の調整量測定プログラムにおいて、上記演算処理装置を、上記取得部により取得される、算出部での差分算出の基になる２つの測色値のうちの第１の測色値あるいはその第１の測色値からカラープロファイルを介して得られたデバイス色空間上の座標値を記憶しておく第２の記憶部をさらに備えることも好ましい形態である。
【００２１】
さらに、上記本発明の調整量測定プログラムにおいて、上記演算処理装置を、上記複数の一次色それぞれについて独立に係数を設定する第２の操作子をさらに備えた調整量測定装置として動作させる調整量測定プログラムであって、上記算出部が、その算出部で算出された差分にさらに上記係数を乗算するものであり、上記表示部が、上記算出部で係数が乗算された後の差分を表示するものであることが好ましい。
【００２２】
さらに、上記本発明の調整量測定プログラムにおいて、上記カラープロファイルが、測色色空間上の座標値と、シアン（Ｃ）、マゼンタ（Ｍ）、イエロー（Ｙ）、および黒（Ｋ）の各色を座標軸とするデバイス色空間上の座標値とを対応づけるカラープロファイルであり、上記演算処理装置を、黒（Ｋ）の、デバイス色空間上の座標値を入力する第３の操作子をさらに備えた調整量測定装置として動作させる調整量測定プログラムであって、上記表示部が、２回の測色により求められる上記差分（ΔＣ，ΔＭ，ΔＹ）のほか、１回の測色により求められる、デバイス色空間上の座標値（Ｃ，Ｍ，Ｙ，Ｋ）を表示するものであることが好ましい。
【発明の効果】
【００２３】
以上説明したように、本発明によれば、調整中の色を目標色に合わせるための調整の指針が与えられるため、例えば印刷におけるインキ出し量の調整等を経験や勘に頼ることなく行なうことができ、調整作業等が軽減される。
【発明を実施するための最良の形態】
【００２４】
以下、本発明の実施形態について説明する。
【００２５】
図１は、本発明の調整量測定装置の一実施形態を示すブロック図である。
【００２６】
この図１に示す調整量測定装置１０は、測色部１１、変換部１２、算出部１３、表示部１４、第１の記憶部１５、第２の記憶部１６、第１の操作子１７、第２の操作子１８、および第３の操作子１９から構成されている。
【００２７】
測色部１１は、色の測定を担う部分であり、通常の測色計の機能に相当する。ここでは、この測色部１１でＣＩＥＸＹＺの測色値（以下、ＸＹＺ値と称する）が得られるものとする。
【００２８】
この測色部１１で得られたＸＹＺ値は、変換部１２と第２の記憶部１６に入力される。
【００２９】
第２の記憶部１６の作用の説明は後に譲り、ここでは変換部１２について説明する。
【００３０】
第１の記憶部１５にはＸ，Ｙ，Ｚを座標軸とする測色色空間内の座標値であるＸＹＺ値と、印刷用の、Ｃ，Ｍ，Ｙ，Ｋの各色インキの網点面積率を座標軸とするＣＭＹＫ色空間内の座標値であるＣＭＹＫ値とを対応づけたカラープロファイルが記憶されており、変換部１２には、第１の記憶部１５からそのカラープロファイルが読み出される。
【００３１】
変換部１２では、測色部１１における測定により得られたＸＹＺ値がその測色部１１から入力されると、第１の記憶部１５から読み出したカラープロファイルうちのＫ＝０の部分プロファイルを用いて、測色部１１から入力されてきたＸＹＺ値をＣＭＹ値に変換する。このＣＭＹ値は算出部１３に送られる。
【００３２】
ここで、Ｋの値は先に調整しておくものとし、変換部１２ではＫ＝０の部分プロファイルを用いてＸＹＺ値をＣＭＹ値に変換する。先に調整されたＫの値の入力を受けてそのＫの値に応じた部分プロファイルを用いてＣＭＹ値に変換してもよいが、後でＣ，Ｍ，Ｙそれぞれの差分を求めるため、わざわざＫの調整値の入力を受けてそのＫの値に応じた部分プロファイルを用いる代わりにＫ＝０の部分プロファイルを使っても大きな誤差は生じないからである。
【００３３】
測色部１１では、プルーフと試し刷り段階の印刷物との双方について測色が行われて、プルーフの測色値ＸtＹtＺtと印刷物の測色値ＸＹＺとが得られ、変換部１２では、それら双方の測色値ＸtＹtＺt，ＸＹＺがそれぞれＣＭＹ値ＣtＭtＹt，ＣＭＹに変換され、それら双方のＣＭＹ値ＣtＭtＹt，ＣＭＹが算出部１３に入力される。その算出部１３では、それら２つのＣＭＹ値ＣtＭtＹt，ＣＭＹ相互の差分ΔＣΔＭΔＹ、すなわち
ΔＣ＝Ｃt−Ｃ
ΔＭ＝Ｍt−Ｍ
ΔＹ＝Ｙt−Ｙ
が算出される。
【００３４】
この算出された差分ΔＣΔＭΔＹは、表示部１４に入力され、その表示部１４ではその差分ΔＣΔＭΔＹが表示される。
【００３５】
オペレータは、この差分の表示を見て、Ｃ，Ｍ，Ｙの各インキの出し量を調整する。
【００３６】
ここで、図１の調整量測定装置１０の第２の記憶部１６には、第１の測色値、すなわち目標色の測色値ＸtＹtＺtが記憶される。測色部１１で、第２の測色値、すなわち試し刷り段階での印刷物の測色値ＸＹＺが得られると、その印刷物の測色値ＸＹＺが変換部１２に入力されてＣＭＹ値に変換されるとともに、第２の記憶部１６に記憶された第１の（目標色の）測色値ＸtＹtＺtも変換部１２に入力されてＣＭＹ値ＣtＭtＹtに変換される。それ以降は前述と同様にして、算出部１３で差分ΔＣΔＭΔＹが算出され、表示部１４では、その差分ΔＣΔＭΔＹが表示される。
【００３７】
また、図１の調整量測定装置１０の第１の操作子１７は、今からの測定が第１の（目標色の）測色値を得るための測定であるか第２の（印刷物の）の測色値を得るための測定であるかをこの調整量測定装置１０に認識させるための操作子であり、この第１の操作子１７を操作して第１の（目標色の）測色値を得るための測定であるか第２の（印刷物の）測色値を得るための測定であるかを認識させることにより、いずれを先に測定することも可能となる。また、本実施形態ではさらに、第１の測色値を得るための測定であることを認識させると、第２の記憶部に記憶されている第１の測色値が上書きされ、その後の、算出部１３での差分の算出では、その上書きされた第１の測色値に基づくＣtＭtＹtが用いられる。
【００３８】
尚、ここでは、第２の記憶部１６には、測色部１１での測色に得られた第１の（目標色の）測色値ＸtＹtＺtが記憶される旨説明したが、図１に一点鎖線で示したように、その測色値ＸtＹtＺtに代わり、その第１の（目標色の）測色値ＸtＹtＺtが変換部１２に入力され、その変換部１２でＣＭＹ値に変換された後の値ＣtＭtＹtを記憶するようにしてもよい。その場合、第２の記憶部１６に記憶されたＣＭＹ値ＣtＭtＹtは、変換部１２を経由することなく、算出部１３に直接入力される。このように構成すると、測色部１１で印刷物を測色するたびに第１の測色値ＸtＹtＺtを変換部１２に入力して再変換を行なう必要がない。
【００３９】
また図１の調整量測定装置１０の第２の操作子１８は、算出部１３で算出する差分に乗算される係数を設定するための操作子である。この第２の操作子１８では、算出部１３で算出される係数ΔＣ，ΔＭ，ΔＹのそれぞれに乗算される各係数ａ，ｂ，ｃが独立に設定される。第２の操作子１８で係数ａ，ｂ，ｃが設定されると、算出部１３では、上記のようにして算出した差分ΔＣ，ΔＭ，ΔＹにその第２の操作子１８で設定された係数ａ，ｂ，ｃが乗算され、乗算後の差分ａ・ΔＣ，ｂ・ΔＭ，ｃ・ΔＹが求められ、表示部１４では、その乗算後の差分ａ・ΔＣ，ｂ・ΔＭ，ｃ・ΔＹが表示される。
【００４０】
このように、第２の操作子１８で係数ａ，ｂ，ｃを設定することにより、Ｃ，Ｍ，Ｙの各インキ出し量の調整量に感覚的にマッチした値を表示させることができる。
【００４１】
さらに、図１の調整量測定装置１０を構成する第３の操作子１９は、Ｋの値を入力する操作子である。
【００４２】
この調整量測定装置１０は、２回の測色を行ない差分ΔＣΔＭΔＹを算出して表示することのほか、１回の測色により得られた測色値に対応したＣＭＹＫ値を求めて表示する機能を有する。このときは、測色値ＸＹＺはＸとＹとＺとの３次元で表現される値であるのに対し、ＣＭＹＫ値はＣとＭとＹとＫとの４次元で表現される値であるため、このままではＸＹＺ値を一義的にＣＭＹＫ値に変換することはできない。そこで、ここでは、第３の操作子１９の操作により、先に設定されているＫの値を入力する。すると、変換部１２では、測色部１１から入力されてきた測色値ＸＹＺが、第１の記憶部１５から読み出されたカラープロファイルのうちの、第３の操作子１９の操作により入力されたＫの値（ここではＫ＝Ｋ0とする）に応じた、Ｋ＝Ｋ0の部分プロファイルが参照されてＣＭＹ値に変換される。その変換により得られたＣＭＹ値、および第３の操作子１９の操作により入力されたＫの値が、算出部１３を素通りして表示部１４に入力され、表示部１４に、測色部１１で測色した測定点のＣＭＹＫ値が表示される。これにより、その測定点のＣ，Ｍ，Ｙ，Ｋの各インキ量を知ることができる。
【００４３】
ここでは、第１の記憶部１５に記憶されるカラープロファイルとして、印刷機やインキ等が、その印刷物を刷るときの印刷条件に完全に合致していることを想定して説明したが、差分ΔＣΔＭΔＹは、インキ出し量の調整量の目安を与えるためのものであり、絶対値としてそれほど厳密である必要はない。また、カラープロファイルに誤差があっても印刷物の色が目標色と一致したときにはΔＣ＝ΔＭ＝ΔＹ＝０となる。したがってここで用いられるカラープロファイルはその印刷物の印刷条件に完全に合致したカラープロファイルである必要はなく、大まかな傾向が合っているカラープロファイルであればよい。
【００４４】
また、ここでは印刷物の色を目標色（プルーフ）に一致させることを例に挙げて説明したが、印刷物に代えて、例えばＣＲＴディスプレイや液晶ディスプレイ等の表示画面上の色を表わすＲＧＢ値と測色値ＸＹＺとの対応関係を記述したカラープロファイルを記憶しておいて、その表示表面上の発光色を目標色に一致させる場合等にも本発明を適用することができ、目標色もプルーフ画像に限らず、例えば実際の服地の色など、用紙上の画像以外のものの色を目標色としてもよい。
【００４５】
また、上記では測色値としてＣＩＥＸＹＺ値を取り上げたが、測色値はＣＩＥＸＹＺ値である必要はなく、Ｌ*ａ*ｂ*値等を採用してもよい。
【００４６】
さらに、上記ではΔＣ，ΔＭ，ΔＹとして目標色のＣＭＹ値ＣtＭtＹtから印刷物のＣＭＹ値ＣＭＹを差し引いたΔＣ＝Ｃt−Ｃ，ΔＭ＝Ｍt−Ｍ，ΔＹ＝Ｙt−Ｙを算出して表示したが、これとは逆に、ΔＣ＝Ｃ−Ｃt，ΔＭ＝Ｍ−Ｍt，ΔＹ＝Ｙ−Ｙtを算出して表示してもよく、あるいはそれら双方を切り換えることができるようにしてもよい。
【００４７】
以下では、図２以下の図を参照しながら本実施形態をさらに具体的に説明する。
【００４８】
図２は、図１にブロック図を示す調整量測定装置１０の外観斜視図である。
【００４９】
この図２に示す調整量測定装置１０は、測定対象物の上に置かれる板部２１と、その板部２１に対しヒンジで接続された測定部２２とから構成されている。
【００５０】
板部２１には、孔２１１が設けられており、その孔２１１から測定対象物の測定点が覗くように、その板部２１が測定対象物の上に載せられる。
【００５１】
また、測定部２２は、測定結果等を表示する表示画面２２１と、この調整量測定装置１０を操作するための各種操作子が配列された操作パネル２２２とを有し、その測定部２２の後端部２２３が板部２１に対しヒンジ接続され、その測定部２２の前端部２２４が板部２１から図２に示すように開いた状態になるように付勢されている。
【００５２】
測定部２２の下面の、板部２１の孔２１１に対応する位置には、測定ヘッド２２５（図３参照）が備えられている。
【００５３】
操作パネル２２２上で、必要に応じて、図１を参照して説明した第１〜第３の操作子１７〜１９の操作に対応した操作を行ない、次いで板部２１を測定対象物の上に載せて、測定しようとしている測定点が孔２１１から覗くように位置を調整する。次いで測定部２２の前端部２２４側を押下すると測定が行なわれ、表示画面２２１上にその測定結果（ΔＣΔＭΔＹ等）が表示される。また、この測定部２２は、その後端部２２３のヒンジの部分で板部２１から取り外すことができる。測定部２２を板部２１から取り外し、図３を参照して説明するようにして、表示画面上の発光色を測定することができる。
【００５４】
図３は、図２に示す調整量測定装置１０を用いて液晶表示装置の表示画面上の発光色を測定している状態を示す模式図である。
【００５５】
ここでは、ブラケット３１とベルト３２と重り３３とからなるアタッチメント３０が用いられる。
【００５６】
このアタッチメント３０のブラケット３１が液晶表示装置１００の表示画面１０１の前面に位置し、重り３３がその液晶表示装置１００の裏側に位置しそれらブラケット３１と重り３３との間がベルト３２で架け渡されている。
【００５７】
ここで、このブラケット３１には、図２に示す調整量測定装置１０の測定部２２が板部２１から取り外されてその測定部２２がブラケット３１に嵌め込まれ、その測定部２２の測定ヘッド２２５が表示画面１０１上の所望の測定点に対向する位置に調整され、図示しない測定開始ボタンを押すことにより、その測定点の測定が行なわれ、その測定部２２の表示画面２２１（図２参照）にΔＣΔＭΔＹ等の測定結果が表示される。
【００５８】
図４は図２に示す調整量測定装置１０の測定部２２の構成を示すブロック図である。
【００５９】
測定部２２には光源４１が内蔵されており、測定にあたり、その光源から発せられた測定光が測定ヘッド２２５（図３参照）から出射され、さらに図２に示す孔２１１を通って測定対象物２００の測定点を照明する。図２に示す調整量測定装置１０の測定部２２の操作パネル２２２には、外光を反射して画像を表示する印刷物等を測定対象とする場合と図３に示すように自らが発光して画像を表示するディスプレイ装置等を測定対象とする場合とを切り換える切換スイッチ（図示せず）が備えられており、ディスプレイ装置等を測定対象とするように切換スイッチを切り換えると、光源４１は消灯したままとなる。ただし、ここでは、図２に示す板部２１を取り付けて、印刷物等用紙上の画像を測定対象とする場合について説明する。
【００６０】
図４に示す光源４１から出射した測定光は測定対象物の測定点を照明し、その測定点で反射して戻ってきた光が測定ヘッド２２５（図３参照）から測定部２２に取り込まれて、シグナルプロセッサ４４からの制御を受けた分光器４２で分光される。この分光器４２での分光により得られた各波長ごとの光は、センサ４３に順次入力されて各波長ごとの光量が測定され、それらの測定データがシグナルプロセッサ４４に入力される。
【００６１】
また、メモリ４６には、カラープロファイルが記憶されており、そのカラープロファイルがＣＰＵ４５により読み出されて、このカラープロファイルもシグナルプロセッサ４４に入力される。このシグナルプロセッサ４４は、センサ４３から入力されてきた測定データに基づいて、先ずその測定点のＸＹＺ値を算出し、次いで、そのＸＹＺ値をカラープロファイルに基づいてＣＭＹ値に変換し、さらに２回の測定（目標色（プルーファ）の測定と印刷物の測定）により得られた２つのＣＭＹ値どうしの差分ΔＣΔＭΔＹが算出される。その算出された差分ΔＣΔＭΔＹは、ＣＰＵ４５を介して表示部４７に送られ、表示部４７ではその差分ΔＣΔＭΔＹが表示される。
【００６２】
また、この調整量測定装置１０にユーザが何か設定しようとするときは操作入力部４８に配置された操作子が操作され、ＣＰＵ４５はその操作入力を受けて各部を制御する。この操作の１つに第１の測色値を記憶しておくよう設定する操作があり、その操作を行なうと、第１の測色の測色値（ＸＹＺ値）がメモリ４０に送られてそのメモリ４６に記憶され、差分を演算する際にはそのメモリ４６に記憶された一回目の測色値がＣＰＵ４５により読み出されてシグナルプロセッサ４４に送られる。
【００６３】
すなわち、この図４における、光源４１、分光器４２、センサ４３、および、シグナルプロセッサ４４の、分光器４２を制御する部分と測色値ＸＹＺを算出する部分の集合が図１の測色部１１に対応し、シグナルプロセッサ４４のＸＹＺ値をＣＭＹ値に変換する部分が図１の変換部１２に対応し、シグナルプロセッサ４４の、差分ΔＣΔＭΔＹを算出する部分が図１の算出部１３に対応する。また図４の操作入力部４８は、図１の第１〜第３の操作子１７，１８，１９の複合、および図２の操作パネル２２２に対応し、メモリ４６は図１の第１の記憶部１５と第２の記憶部１６との複合に対応し、表示部４７は、図１の表示部１４および図２の表示画面２２１に対応する。ＣＰＵ４５は、図４に示す各部全体の制御を担っている。
【００６４】
図５は、これまでにも説明してきた、本実施形態の調整量測定装置における演算を示す模式図である。
【００６５】
目標色が測色されてその目標色の測色値ＸtＹtＺtが求められるとともに試し刷り段階の印刷物が測定されてその印刷物の測色値ＸＹＺが求められる。これら２つのＸtＹtＺt，ＸＹＺは、カラープロファイルを介してＣtＭtＹtおよびＣＭＹにそれぞれ変換され、その後差分計算ΔＣ＝Ｃt−Ｃ，ΔＭ＝Ｍt−Ｍ，ΔＹ＝Ｙt−Ｙより差分ΔＣΔＭΔＹが算出されて表示される。
【００６６】
このように、カラープロファイルを介してＸＹＺ等の測色値をＣＭＹ値に変換しＣＭＹの差分ΔＣΔＭΔＹを求めて表示することが、本実施形態の最大の特徴である。
【００６７】
図６は、調整量測定装置１０の表示画面上の表示例を示す図である。
【００６８】
この表示画面２２１には、目標色の測色値２２１ａと、ここで用いられたカラープロファイルの名称２２１ｂと、目標色の測色値Ｘ，Ｙ，Ｚ＝２０，１０，２がカラープロファイルを介してＣＭＹに変換されたときのその、ＣＭＹ値２２１ｃとが示されている。
【００６９】
尚ここでは、調整量測定装置１０は、カラープロファイルは複数記憶しておき、それら記憶された複数のカラープロファイルの中から今回の印刷物の印刷条件に合致したカラープロファイルを読み出してＸＹＺからＣＭＹへの変換に用いるように構成されているものとする。
【００７０】
また、ここでは、目標色の測色値２２１ａあるいはその目標色の測色値２２１ａを変換したＣＭＹ値２２１ｃを記憶しておき、その後、試し刷りの印刷物の測定がインキ出し量の調整および試し刷りを繰り返しながら複数回行なわれており、図６の表示画面２２１上には、印刷物の１回目の測定結果２２１ｄ、印刷物の２回目の測定結果２２１ｅ、および印刷物の３回目の測定結果２２１ｆが表示されている。ここでは、印刷物をさらに多数回測定し、その表示画面上に一度には表示できないときはスクロールにより表示されるようになっている。
【００７１】
次に、本実施形態の調整量測定装置１０の利用例について説明する。
【００７２】
図７は、カラープロファイルの模式図である。
【００７３】
ここでは、先ず、使用する印刷機等の機械調整を行なった後、印刷用紙、インキ種類などの印刷条件を決め、カラープロファイル作成用のチャートを印刷し、その印刷されたチャートを測色し、プロファイル作成用ソフトウェアを利用して、そのチャート作成時のインキの網％と測色値とを対応づけたカラープロファイル（ここでは印刷用のプロファイルであり、印刷プロファイルと称する）を作成する。この印刷プロファイルの作成過程自体は広く知られており、ここでは、これ以上の詳細説明は省略する。このようにして作成した印刷プロファイルは、本実施形態の調整量測定装置１０に記憶される。印刷プロファイルが既に作成されているときは、この、印刷プロファイル作成の過程は省略される。
【００７４】
図８は、黒（Ｋ）のインキ出し量の調整過程を示す模式図である。
【００７５】
印刷プロファイルを作成した後、次に図８に示すように、目標色となる刷り見本（プルーフ）９０Ａと試し刷りの印刷物９０Ｂを用意する。この刷り見本９０Ａと試し刷りの印刷物９０Ｂには、本来必要な画像が記録された画像部９１Ａ，９１Ｂが記憶されており、さらにその画像部９１Ａ，９１Ｂから外れた部分に、色調整用のコントロールストリップス９２Ａ，９２Ｂが記録されている。コントロールストリップス９２Ａ，９２Ｂには、図８（Ｂ）に模式的に示す、印刷機のインキ出し量調整用に配列されたインキキー９９の各チャンネル１，２，３，…，ｎ，…の１つずつに対し、Ｋの網点面積率６０％（以下、Ｋ６０％と表記する）のパッチ９２１Ａ，９２１Ｂと、Ｃ，Ｍ，Ｙの３色のインキで刷られた網点面積率６０％のグレーのパッチ９２２Ａ，９２２Ｂとのペアが形成されている。
【００７６】
ここでは、Ｋ６０％のパッチ９２１Ａ，９２１Ｂの濃度を測定する。刷り見本９０ＡのＫ６０％のパッチ９２１Ａの濃度をＤt、試し刷り印刷物９０ＢのＫ６０％のパッチ９２１Ｂの濃度をＤとしたとき、それらの差分ΔＤ＝Ｄt−Ｄが十分に０に近づくようにＫのインキ出し量を調整する。これを、配列されたインキキー９９の印刷用紙幅の全チャンネルについて行なう。尚、ここでは、Ｋ６０％のグレーに基づいてＫのインキ出し量を調整するとしたが、Ｋ６０％に限られるものではなく、Ｋ６０％のパッチに代えて、Ｋのべた、すなわちＫ１００％のパッチを作成し、そのＫ１００％のパッチの濃度に基づいてＫのインキ出し量を調整してもよい。
【００７７】
図９は、Ｃ，Ｍ，Ｙのインキ出し量の調整過程を示す図である。
【００７８】
図２等に示す調整量測定装置１０は、このＣ，Ｍ，Ｙのインキ出し量の調整の際に使用される。
【００７９】
ここでも刷り見本（プルーフ）９０Ａと試し刷り印刷物９０Ｂが用意される。
【００８０】
ここに示す試し刷り印刷物９０Ｂは、図８に示す、Ｋのインキ出し量調整前あるいは調整中のものとは異なり、Ｋに関してはインキ出し量が調整された後のものである。ただし、ここでは、混乱を避けるため、試し刷り印刷物については全て符号９０Ｂで表わしている。
【００８１】
また、図９には、刷り見本９０Ａと試し刷り印刷物９０Ｂとの双方の画像部９１Ａ，９１Ｂの、相互に対応した位置に丸印で測定点９３Ａ，９３Ｂが示されている。これらの丸印は、画像上の模様あるいは線画等ではなく、ここでの説明用に図９上に示したものである。これらの測定点９３Ａ，９３Ｂに関する説明は後述する。
【００８２】
ここでは、網点面積率６０％のＣ，Ｍ，Ｙの３色のインキからなるパッチ９２２Ａ，９２２Ｂが測定対象となる。ここでは図２等に示す、本実施形態の調整量測定装置１０でそのパッチ９２２Ａ，９２２Ｂを測色する。
【００８３】
ここでは先ず、刷り見本９０Ａのパッチ９２２Ａを測色して測色値ＸtＹtＺtを得る。この測色値ＸtＹtＺtは、調整量測定装置１０に記憶される。その測色値ＸtＹtＺtは、印刷プロファイルによりＣtＭtＹtに変換される。このとき、印刷プロファイルのうちのＫ０％の部分プロファイルが用いられる。
【００８４】
また試し刷り印刷物９０Ｂの印刷色が目視で評価され、十分に満足できるものでなかったときは、調整量測定装置１０で、その試し刷り印刷物９０Ｂのパッチ９２２Ｂを測色し、測色値ＸＹＺを得る。この測色値ＸＹＺも、印刷プロファイルの、Ｋ０％の部分プロファイルによりＣＭＹに変換される。さらにその調整量測定装置１０では差分、
ΔＣ＝Ｃt−Ｃ
ΔＭ＝Ｍt−Ｍ
ΔＹ＝Ｙt−Ｙ
が算出されてその差分ΔＣΔＭΔＹが表示される。この差分ΔＣΔＭΔＹの値により、例えば、印刷物９０Ｂが刷り見本９０Ａと比べＹ味がかっているときに、Ｙのインキ出し量を増やせばよいのか、あるいはＣとＭのインキ出し量を減らせばよいのか、ということが判明し、それに従ってＣＭＹの各インキ出し量を調整し、再度試し刷りを行なう。その試し刷りにより得られた印刷物の印刷色が目視で評価され、十分に満足できるものであったときは、ＣＭＹのインキ出し量の調整作業は終了する。もしまだ、十分には満足できないものであったときは、再度、今度新たに得られた印刷物９０Ｂについて上記の測色、印刷プロファイルを用いての変換、差分の算出、および表示を行ない、ＣＭＹのインキ出し量を再度調整して再度試し刷りを行なう。この一連の過程を、試し刷り印刷物９０Ｂの色が十分満足できるレベルで刷り見本９０Ａと一致するまで繰り返す。
【００８５】
上記のＣＭＹのインキ出し量の調整はインキキーの各チャンネルそれぞれについて行なわれる。
【００８６】
ここで、パッチ９２２Ａ，９２２Ｂは、ＣＭＹからなる網点面積率６０％のグレーパッチであり、標準的な画像の色調整の場合はこのグレーパッチの色を合わせるようにインキ出し量が調整されるが、印刷物によっては、画像上の特定の部分の色（たとえば肌色、緑色など）を刷り見本の色に合わせるようにインキ出し量を調整する必要がある。そのような画像については、パッチ９２２Ａ，９２２Ｂの測色に代えて、図９に破線の丸印で示す、画像上の色を合わせようとしている測定点９３Ａ，９３Ｂが測定対象とされ、それらの測定点９３Ａ，９３Ｂの測定に基づく差分△Ｃ△Ｍ△Ｙを算出して表示し、その表示に基づいてＣＭＹのインキ出し量を調整する。こうすることにより、刷り見本９０Ｂの測定点９３Ｂの色を刷り見本９０Ａの測定点９３Ａの色に合わせることができる。あるいは、パッチ９２２Ａ，９２２Ｂと測定点９３Ａ，９３Ｂの双方を測定対象とし、それら双方の色のバランスを見ながらインキ出し量を調整してもよい。
【００８７】
本実施形態の調整量測定装置１０は、上記のようなインキ出し量の調整に好適である。
【００８８】
図１０は、本発明の一実施形態としての調整量測定プログラムを採用したシステムの一例を示す図である。
【００８９】
この図１０には、測色計５０とコンピュータ６０が示されている。
【００９０】
測色計５０は、通常の市販の測色計であり、板部５１と測定部５２とからなる。板部５１には、その板部５１を測定対象物の測定点が覗くように配置するための孔５１１が設けられており、測定部５２には、表示画面５２１と操作パネル５２２が備えられている。ただし、この測定部５２に備えられた表示画面５２１と操作パネルは、通常の測色計としての表示および操作を行なうためのものである。その他、この測定部５２の後端部５２３が板部５１にヒンジ接続されていることなど、構造的には、図２に示す本発明の実施形態の調整量測定装置１０と類似している。
【００９１】
この測色計５０の内部構成も図４に示す本発明の実施形態の調整量測定装置１０と類似しているが、シグナルプロセッサ４４は測色値（ＸＹＺ値）を算出するものであり、カラープロファイル（印刷プロファイル）を使ってのＣＭＹ値への変換等の機能はない。それに代わり、その算出された測色値をコンピュータ６０に送信する機能を持っている。このように、図１０の測色計５０では、測色値ＸＹＺを算出するところまで行なわれ、その測色値ＸＹＺがコンピュータ６０に入力される。あるいは、測色計５０は、図４に示すセンサ４３で得られた各波長ごとの光量値を測定するところまで分担し、その各波長ごとの光量値をコンピュータ６０に送信して、測色値ＸＹＺは、その送信されてきた各波長ごとの光量値に基づいて、そのコンピュータ６０の内部で算出してもよい。
【００９２】
図１０に示すコンピュータ６０は、ＣＰＵやハードディスク装置等が内蔵された本体装置６１と、表示画面６２１上に画像を表示する画像表示装置６２と、このコンピュータ６０に対し様々な指示を操作入力するためのキーボード６３と、表示画面６２１上の位置を指定することによりその位置に表示されていたアイコン等を指定するためのマウス６４とを備えている。
【００９３】
図１１は、図１０に外観を示すコンピュータのハードウェア構成図である。
【００９４】
本体装置６１には、図１１に示すように、各種プログラムを実行するＣＰＵ６１１、ハードディスク装置６１３に格納されたプログラムが読み出されＣＰＵ６１１での実行のために展開される主メモリ６１２、各種プログラムやデータ等が保存されたハードディスク装置６１３、フレキシブルディスク（ＦＤ）３１０が装填されその装填されたＦＤ３１０をアクセスするＦＤドライブ６１５、ＣＤ−ＲＯＭ３２０が装填され、その装填されたＣＤ−ＲＯＭ３２０をアクセスするＣＤ−ＲＯＭドライブ６１６、図１０に示す測色計５０と接続され、測色計５０から測色データを受け取る入力インタフェース６１４が備えられており、これらの各種要素と、さらに図１０にも示す画像表示装置６２、キーボード６３、マウス６４は、バス６１０を介して相互に接続されている。
【００９５】
図１２は、ＣＤ−ＲＯＭに記憶された調整量測定プログラムの模式構成図である。
【００９６】
この図１２に示すＣＤ−ＲＯＭ３２０には、調整量測定プログラム７０が記憶されており、その調整量測定プログラム７０は、取得部７１、変換部７２、算出部７３、表示部７４、第１の記憶部７５、第２の記憶部７６、第１の操作部７７、第２の操作部７８、および第３の操作部７９で構成されている。
【００９７】
ここでは、この図１２に示す調整量測定プログラム７０を記憶したＣＤ−ＲＯＭ３２０が図１０、図１１に示すコンピュータ６０のＣＤ−ＲＯＭドライブ６１６（図１１参照）に装填され、そのＣＤ−ＲＯＭ５７０に記憶された調整量測定プログラム７０がそのコンピュータ６０にアップロードされてハードディスク装置６１３に記憶される。このハードディスク装置６１３に記憶された調整量測定プログラム７０が図１１に示す主メモリ６１２に展開されてＣＰＵ６１１で実行されると、このコンピュータ６０は、図１０に示す測色計５０と合わせたときに、図１に示す実施形態と同一の作用を成す装置として動作する。
【００９８】
図１２に示す調整量測定プログラム７０の各部７１〜７９の作用については後述する。
【００９９】
図１３は、図１２に示す調整量測定プログラム７０がコンピュータ６０にアップロードされて実行されることによりそのコンピュータ６０内に実現する機能を、調整量測定プログラム７０の各部７１〜７９に対応したブロックで示した機能ブロック図である。
【０１００】
図１０を参照して説明したように測色については測色計５０が分担しており、図１３に示す機能ブロック図には、測色の要素はないが、ここでは、便宜上、図１３に示す構成を調整量測定装置８０と称する。
【０１０１】
この図１３に示す調整量測定装置８０は、取得部８１、変換部８２、算出部８３、表示部８４、第１の記憶部８５、第２の記憶部８６、第１の操作子８７、第２の操作子８８、および第３の操作子８９から構成されている。
【０１０２】
取得部８１は、図１０に示す測色計５０から送信されてきた測色値ＸＹＺを受け取る機能部分であり、ハードウェア上は、図１１に示す入力インターフェース６１４やプログラムを実行するＣＰＵ６１１等の複合がこれに相当し、図１２に示す調整量測定プログラム７０の取得部７１の実行により実現する機能部分である。
【０１０３】
また、変換部８２および算出部８３は、ハードウェア上は図１１に示すＣＰＵ６１１がこれらに相当し、図１２に示す、それぞれの調整量測定プログラム７０の変換部７２および算出部７３がＣＰＵ６１１で実行されることにより実現する機能部分である。
【０１０４】
また、図１３の調整量測定装置８０の表示部８４はハードウェア上は主として図１０，図１１に示す画像表示装置６２がこれに相当し、図１２に示す調整量測定プログラム７０の表示部７４の実行により実現する機能部分である。
【０１０５】
さらに、図１３の調整量測定装置８０の第１の記憶部８５および第２の記憶部８６は、いずれも、主として、図１１に示すハードディスク装置６１３がこれらに相当し、図１２に示す調整量測定プログラム７０のそれぞれ第１の記憶部７５および第２の記憶部７６の実行により実現する機能部分である。
【０１０６】
さらに、図１３の調整量測定装置８０の第１の操作子８７，第２の操作子８８，および第３の操作子８９は、ハードウェア上は、いずれも、主として、図１０，図１１に示すキーボード６３やマウス６４がこれに相当し、図１２に示す調整量測定プログラム７０の、それぞれ第１の操作部７７，第２の操作部７８，および第３の操作部７９の実行により実現する機能部分である。
【０１０７】
図１３に示す調整量測定装置８０を、図１に示す調整量測定装置１０と対比すると、図１の調整量測定装置１０が測色部１１を備え、この調整量測定装置１０自身が測色計の機能をもっているのに対し、図１３に示す調整量測定装置８０は、図１０に示すように測色計５０が接続されるため、自らはその測色計５０での測色により得られた測色値ＸＹＺを取得する取得部８１を持っているという相違がある。
【０１０８】
図１３に示す調整量測定装置８０の他の構成部分、すなわち、変換部８２、算出部８３、表示部８４、第１の記憶部８５、第２の記憶部８６、第１の操作子８７、第２の操作子８８、および第３の操作子８９は、それぞれ、図１に示す調整量測定装置１０を構成する、図１に示す調整量測定装置１０を構成する、変換部１２、算出部１３、表示部１４、第１の記憶部１５、第２の記憶部１６、第１の操作子１７、第２の操作子１８、および第３の操作子１９に相当する。したがって、ここでは、それら各部８２〜８９の作用の説明は省略する。
【０１０９】
尚、ここでは、測色値としてＣＩＥＸＹＺを取り挙げたが、ＣＩＥＸＹＺである必要はなくＬ*ａ*ｂ*等であってもよい。また、ここでは主として印刷物の色の調整例を挙げて説明したが、本発明の調整量測定装置は、ＣＲＴディスプレイ装置あるいは液晶ディスプレイ装置等の表示画面の色をプルーブと同じ色に調整する場合にも利用することができる。その場合は、プルーフの測色値と表示画面の発光色であるレッド（Ｒ），グリーン（Ｇ）、およびブルー（Ｂ）との対応関係を表わすカラープロファイルが用いられる。
【図面の簡単な説明】
【０１１０】
【図１】本発明の調整量測定装置の一実施形態を示すブロック図である。
【図２】図１にブロック図を示す調整量測定装置１０の外観斜視図である。
【図３】図２に示す調整量測定装置を用いて液晶表示装置の表示画面上の色を測定している状態を示す模式図である。
【図４】図２に示す調整量測定装置の測定部の構成を示すブロック図である。
【図５】本実施形態の調整量測定装置における演算を示す模式図である。
【図６】調整量測定装置の表示画面上の表示例を示す図である。
【図７】カラープロファイルの模式図である。
【図８】黒（Ｋ）のインキ出し量の調整過程を示す模式図である。
【図９】Ｃ，Ｍ，Ｙのインキ出し量の調整過程を示す図である。
【図１０】本発明の一実施形態としての調整量測定プログラムを採用したシステムの一例を示す図である。
【図１１】図１０に外観を示すコンピュータのハードウェア構成図である。
【図１２】ＣＤ−ＲＯＭに記憶された調整量測定プログラムの模式構成図である。
【図１３】図１２に示す調整量測定プログラムによりコンピュータ内に実現する機能を示した機能ブロック図である。
【符号の説明】
【０１１１】
１０，８０    調整量測定装置
１１    測色部
８１    取得部
１２，８２    変換部
１３，８３    算出部
１４，８４    表示部
１５，８５    第１の記憶部
１６，８６    第２の記憶部
１７，８７    第１の操作子
１８，８８    第２の操作子
１９，８８    第３の操作子
２１    板部
２２    測定部
２２１    表示画面
２２３    後端部
５０    測色計
６０    コンピュータ
７０    調整量測定プログラム
７１    取得部
７２    変換部
７３    算出部
７４    表示部
７５    第１の記憶部
７６    第２の記憶部
７７    第１の操作部
７８    第２の操作部
７９    第３の操作部
３２０    ＣＤ−ＲＯＭ
【図１】
2005172513.tif 000003
【図２】
2005172513.tif 000004
【図３】
2005172513.tif 000005
【図４】
2005172513.tif 000006
【図５】
2005172513.tif 000007
【図６】
2005172513.tif 000008
【図７】
2005172513.tif 000009
【図８】
2005172513.tif 000010
【図９】
2005172513.tif 000011
【図１０】
2005172513.tif 000012
【図１１】
2005172513.tif 000013
【図１２】
2005172513.tif 000014
【図１３】
2005172513.tif 000015